(57)【要約】      （修正有）【課題】可及的小型のディスク駆動装置にして、筐体内へのディスクの搬入と筐体外へのディスクの搬出を好適に行えるようにする。【解決手段】ディスクＤを支持するディスクトレイ３と、ディスクトレイ３を旋回可能に支持する支点軸Ｓをもつトレイベース４とを備える。トレイベース４は、筐体１内に納まる第１位置と筐体１外に張り出す第２位置との間を直進移動する。一方、ディスクトレイ３は、支点軸Ｓを中心にトレイベース４に平行する面内を旋回して、トレイベース４よりも筺体１の外方に張り出すディスク取出位置とトレイベース４に対面して前記ディスク取出位置よりも筐体１側に位置する初期位置との間を移動する。【選択図】図１
2010176724.tif 000002
【特許請求の範囲】
【請求項１】
ディスクを搬送するディスク搬送機構を備えたディスク駆動装置において、
前記ディスク搬送機構は、
前記ディスクを支持するディスクトレイと、
前記ディスクトレイを旋回可能に支持する支点軸を有して筺体の内部に納まる第１位置と前記筺体の外部に張り出す第２位置との間を移動可能とされるトレイベースと、
前記トレイベースを前記第１位置と第２位置との間で直進移動させるベース駆動部と、
前記ディスクトレイを前記トレイベースに平行する面内で前記支点軸を中心に旋回させるトレイ駆動部と、を具備して成り、
前記ディスクトレイは、前記トレイ駆動部の駆動により前記支点軸回りに旋回されて、前記トレイベースよりも前記筺体の外方に張り出すディスク取出位置と前記トレイベースに対面して前記ディスク取出位置よりも前記筐体側に位置する初期位置との間を移動することを特徴とするディスク駆動装置。
【請求項２】
前記ディスクトレイに支持されたディスクが前記トレイベースと同方向に直進移動するように、前記ディスクトレイの旋回移動に同調してその旋回中心となる前記支点軸を移動させる支点軸移動手段を備えることを特徴とする請求項１記載のディスク駆動装置。
【発明の詳細な説明】
【技術分野】
【０００１】
本発明は、円盤状の情報記録媒体（ディスク）に楽曲情報などを記録したり、その記録情報を再生したりするのに用いられる装置に係わり、特にディスクを装置筺体の内部と外部との間で搬送するディスク搬送機構を備えたディスク駆動装置に関する。
【背景技術】
【０００２】
ディスクに楽曲情報などを記録したり、その記録情報を再生したりするのに用いられるディスク駆動装置として、ディスクの自動搬送を行うディスク搬送機構を備えたものが一般に広く知られている。尚、係るディスク搬送機構は、ローラ搬送方式とトレイ搬送方式とに大別される。
【０００３】
図９は、本願発明の属するトレイ搬送方式の典型的な従来例を示す。図９において、Ｃは装置の筐体、ｄｔ１はディスク搬送機構を構成するディスクトレイであり、ディスクトレイｄｔ１はその上面部にディスクＤを載せて図９の実線で示されるドライブ位置と一点鎖線で示されるイジェクト位置との間を直進移動し、上記ドライブ位置では図示せぬドライブユニットによるディスクＤの回転駆動などが行われ、上記イジェクト位置ではディスクＤの取り出しや交換が可能とされる。
【０００４】
しかし、図９に示されるようなディスク搬送機構では、ディスクＤの直径より大きいストローク長でディスクトレイｄｔ１を移動させねばならないし、イジェクト位置に達したディスクトレイｄｔ１が片持ち支持されるようその全長を大きく設定しなければならないから、ディスクトレイｄｔ１の移動範囲を考慮して筐体Ｃの奥行きを大きくする必要があり、結果として装置全体が大型化するという問題があった。
【０００５】
一方、図１０及び図１１に示すように、扇形のディスクトレイｄｔ２にして、これが回転軸Ｒを中心に旋回移動するようにしたディスク搬送機構も知られている（例えば、特許文献１）。
【先行技術文献】
【特許文献】
【０００６】
【特許文献１】特開平７−２８７９１１号公報
【発明の概要】
【発明が解決しようとする課題】
【０００７】
しかしながら、ディスクトレイｄｔ２がディスクＤを載せて旋回移動する構成のディスク搬送機構では、ディスクトレイｄｔ２をディスクＤの直径と同程度の半径を有する扇形にして筐体Ｃの奥行きを小さくすることができるものの、ディスクトレイｄｔ２の旋回半径を小さくすると図１０のようにディスクトレイｄｔ２を９０度以上旋回させてもディスクＤが筐体Ｃの外部まで搬出されず、これを防止するべくディスクトレイｄｔ２の旋回半径を大きくすると、図１１のように筐体Ｃの横幅を大きくしながら当該筐体Ｃにディスクトレイｄｔ２の旋回を許容する幅の大きな開口部Ａを穿設する必要が生じ、装置の小型化を図れない結果を招くばかりでなく、開口部Ａから筐体Ｃ内に対して塵埃が侵入し易くなるという問題を発生する。
【０００８】
本発明は以上のような事情に鑑みて成されたものであり、その目的は可及的小型のディスク駆動装置にして筐体内へのディスクの搬入と筐体外へのディスクの搬出を好適に行えるようにすることにある。
【課題を解決するための手段】
【０００９】
本発明は上記目的を達成するため、
ディスクＤを搬送するディスク搬送機構２を備えたディスク駆動装置において、
ディスク搬送機構２は、
ディスクＤを支持するディスクトレイ３と、
ディスクトレイ３を旋回可能に支持する支点軸Ｓを有して筺体１の内部に納まる第１位置と筺体１の外部に張り出す第２位置との間を移動可能とされるトレイベース４と、
トレイベース４を前記第１位置と第２位置との間で直進移動させるベース駆動部６と、
ディスクトレイ３をトレイベース４に平行する面内で支点軸Ｓを中心に旋回させるトレイ駆動部５と、を具備して成り、
ディスクトレイ３は、トレイ駆動部５の駆動により支点軸Ｓ回りに旋回されて、トレイベース４よりも筺体１の外方に張り出すディスク取出位置とトレイベース４に対面して前記ディスク取出位置よりも筐体１側に位置する初期位置との間を移動することを特徴とするディスク駆動装置を提供する。
【００１０】
加えて、ディスクトレイ３に支持されたディスクＤがトレイベース４と同方向に直進移動するように、ディスクトレイ３の旋回移動に同調してその旋回中心となる支点軸Ｓを移動させる支点軸移動手段を備えることを特徴とする。
【発明の効果】
【００１１】
本発明によれば、ディスクを支持するディスクトレイと、このトレイを支持する支点軸を備えたトレイベースとを有し、そのトレイベースが筐体内に納まる第１位置と筐体外に張り出す第２位置との間を前後に直進移動することに加え、ディスクトレイが支点軸を中心にしてトレイベースに平行する面内で旋回移動する構成としたことから、ディスクトレイの旋回半径とトレイベースの移動量を小さくしながら、ディスクトレイで支持したディスクの全体を筐体内に搬入したり筐体外に搬出したりすることができ、筐体の奥行きや幅も小さくできるから装置の小型化を図ることが容易になる。
【００１２】
又、支点軸移動手段を備えるものでは、装置の小型化が一層容易となり、しかもディスク搬送動作上の観点から装置の品格、高級感が高まるという有利な効果を奏する。
【図面の簡単な説明】
【００１３】
【図１】本発明に係るディスク駆動装置の内部を示す平面概略図
【図２】ディスクが筐体外部のイジェクト位置に搬出された状態を示す斜視図
【図３】トレイベースを表面側からみた状態を示す平面透視図
【図４】ディスク搬送機構を示す部分断面図
【図５】ディスク搬送中の状態を示す動作説明図
【図６】ディスクがドライブ位置とイジェクト位置にある状態を示す動作説明図
【図７】本発明の変更例として筐体内を底面側からみた状態を示す図
【図８】図７のＸ−Ｘ断面図
【図９】従来例を示す概略図
【図１０】他の従来例を示す概略図
【図１１】他の従来例を示す概略図
【発明を実施するための形態】
【００１４】
以下、本発明を図面に基づいて詳しく説明する。先ず、図１において、１は装置の外装を成す筐体であり、その一端面（前端面）には横長スリット状の開口部１ａが形成されている。２はディスクを筐体１内のドライブ位置と筐体１外のイジェクト位置との間で搬送するディスク搬送機構であり、このディスク搬送機構２は、平行する上下２段の板材を具備して構成される。上段の板材はディスクを支持するディスクトレイ３とされ、下段の板材はディスクトレイ３を旋回自在に支持する支点軸Ｓをもつトレイベース４とされる。
【００１５】
ディスクトレイ３は、開口部１ａ側の一角に連結する支点軸Ｓを中心にディスクを載せて旋回移動するもので、トレイベース４に対向する側の面（裏面）には支点軸Ｓを中心とする円弧状のセクタギヤ部３１が形成され、その反対側の面（表面）にはディスクを配置する円形凹部３２が形成されている。セクタギヤ部３１は内歯車でも外歯車でもよいが、本例ではセクタギヤ部３１が内歯車とされ、その内側に配される後述のトレイ駆動部５から当該セクタギヤ部３１に動力伝達が行われるようになっている。そして、係るディスクトレイ３は、トレイ駆動部５の駆動により、トレイベース４に平行する面内で支点軸Ｓ回りに旋回され、トレイベース４よりも筺体１の外方に張り出すディスク取出位置（図２の状態）と、トレイベース４に対面して前記ディスク取出位置よりも筐体１側に位置する初期位置（図１、図３、図５の状態）との間を移動する。
【００１６】
尚、図１において、ディスクトレイ３は、トレイベース４に対面する初期位置にあって、ディスクのドライブ位置に合致している状態であり、この位置では円形凹部３２に配置されたディスクの回転駆動が行われる。Ｔはディスクを回転させるためのターンテーブル、Ｐはディスクの盤面に沿ってその半径方向に移動する光ピックアップであり、それらは図示せぬ昇降台に搭載されてディスク搬送機構２とは別のドライブユニットを構成し、ドライブ位置に達したディスクをターンテーブルＴによりディスクトレイ３から若干隔てて回転させながら、その記録情報を光ピックアップＰで読み取る。ここに、ターンテーブルＴや光ピックアップＰを含むドライブユニットをディスクトレイ３に一体的に組み付けるようにしてもよい。
【００１７】
又、図１から明らかなように、ディスクトレイ３には、光ピックアップＰの移動経路に沿って円形凹部３２の中心からその外域まで達する切欠孔部３３が形成され、これによってターンテーブルＴによるディスクの回転、及び光ピックアップＰによる記録情報の読み取りが可能とされている。更に、ディスクトレイ３の一端縁には筐体１の開口部１ａに整合する蓋板部３４が形成され、当該ディスクトレイ３が初期位置にあってディスクがドライブ位置に案内されたとき、上記の蓋板部３４により開口部１ａが閉鎖されるようになっている。
【００１８】
一方、トレイベース４は、筐体１の内部に納まる第１位置（図１の位置）と筐体１の外部に張り出す第２位置との間を移動可能とされている。Ｇはトレイベース４を移動案内するガイドレールであり、このガイドレールＧは開口部１ａの長手方向両側にあって筐体１内に固設されている。そして、トレイベース４はその両側縁をガイドレールＧにより支持されながら、開口部１ａを通じて上記第１位置と第２位置との間を直進移動するのであり、このトレイベース４がディスクトレイ３を初期位置に支持しながら上記第２位置から図１に示される第１位置まで達すると、ディスクトレイ３で支持されたディスクが上記ドライブ位置に位置決めされることとなる。
【００１９】
図２はディスクＤがイジェクト位置に搬出された状態であり、このときトレイベース４は第２位置にあってその前端部が開口部１ａから筐体１の外部に張り出し、ディスクトレイ３はディスク取出位置（ディスクに関してイジェクト位置と同じ）にあってトレイベース４より筐体１の外部に張り出す。そして、この状態では図２のようにディスクトレイ３上のディスクＤが筐体１の外部に完全に露出し、以ってその取出ならびに交換が可能とされる。
【００２０】
次に、図３において、６はトレイベース４を第１位置と第２位置との間で直進移動させるベース駆動部を示す。このベース駆動部６は、筐体１内の定位置に固設される回転駆動源６１（可逆モータ）とそのロータ軸に固着したピニオン６２から構成され、トレイベース４にはピニオン６２に噛み合うラック部４１が一体として形成されている。尚、図３では、回転駆動源６１、ピニオン６２、ならびにラック部４１を実線で示しているが、それらは図３に示すトレイベース４の表面（ディスクトレイ３に対向する面）とは反対の裏面側に設けられている（図４参照）。
【００２１】
又、図３及び図４から明らかなように、トレイベース４は上記のトレイ駆動部５を搭載している。係るトレイ駆動部５は、トレイベース４の裏面後方部（図３において上側）に固設した回転駆動源５１（可逆モータ）と、その回転駆動力をディスクトレイ３のセクタギヤ部３１に伝達する歯車伝動部５２とで構成される。本例において、歯車伝動部５２は４つのギヤ５２ａ，５２ｂ，５２ｃ，５２ｄから成り、その一つ５２ａはトレイベース４を貫通する回転駆動源５１のロータ軸に固着され、他のギヤ５２ｂ〜５２ｄはトレイベース４に回転自在に取り付けられており、このうち最終のギヤ５２ｄがセクタギヤ部３１に噛み合わされている。
【００２２】
尚、歯車伝動部５２に代えて巻き掛け伝動方式を採用したり、ギヤ５２ａ〜５２ｃを省略してギヤ５２ｄを回転駆動源５１で直接駆動したりするようにしてもよいが、ギヤ５２ｄを回転駆動源５１で直接駆動する方式では、トレイベース４の移動に伴って回転駆動源５１が筐体１の外部に露出する位置となるため、回転駆動部５１として開口部１ａを通過することのできる偏平モータを使用している。又、本例において、トレイベース４に設けられる支点軸Ｓは、固定軸でも回転軸でもよいが、これを図示せぬモータのロータ軸（回転駆動軸）にして、その支点軸Ｓを回転駆動源５１や歯車伝動部５２に代わるトレイ駆動部とすることができる。
【００２３】
ここで、上記のように構成されるディスク搬送機構２の動作について説明すると、ドライブ位置にあるディスクＤをイジェクト位置に搬出する場合には、先ずベース駆動部６の駆動が開始され、これにより図５に示される如くディスクトレイ３がトレイベース４に対面する初期位置に維持されたまま、トレイベース４がディスクトレイ３を支持しながら第１位置から第２位置まで移動し、支点軸Ｓを含むトレイベース４の前端部およびディスクトレイ３の前端部が開口部から筐体１の外部に張り出すようになる。
【００２４】
次いで、ベース駆動部６の停止を以ってトレイベース４を図６の一点鎖線で示される第２位置に維持したまま、トレイ駆動部５の駆動が行われる。しかして、ディスクトレイ３がディスクＤを支持しながら、図６の一点鎖線で示されるディスク取出位置に向けて支点軸Ｓを中心とする旋回移動（図６において右旋回）を開始する。このとき、支点軸Ｓが筐体１の外部に位置しているから、その支点軸Ｓを中心とするディスクトレイ３の旋回半径を小さくしながら、ディスクトレイ３に載せられたディスクＤをイジェクト位置（筐体１から完全露出する位置）まで搬出することができる。そして、ディスクトレイ３が図６の一点鎖線で示されるディスク取出位置に達すると、トレイ駆動部５が停止し、ディスクトレイ３に載せられたディスクＤが筐体１から完全に露出したイジェクト位置となり、その取り出し、交換が可能とされる。
【００２５】
尚、ディスクＤをイジェクト位置からドライブ位置に搬入する場合は、上記とは逆に先ずディスクトレイ３がディスク取出位置から初期位置に復帰され、次いでトレイベース４が第２位置から第１位置に移動されることになる。
【００２６】
次に、図７および図８に基づいて本発明に係る変更例を説明する。尚、上記例と変更なき部分には同一符号を付して詳細な説明を省略する。ここに、図７および図８は、ディスクトレイ３の旋回中心となる支点軸Ｓを移動支点とし、ディスクトレイ３の円形凹部３２に配置されたディスクＤの中心位置がドライブ位置とイジェクト位置との間でトレイベース４と同方向に直進移動するようにした構成例を示す。本例において、トレイベース４には開口部１ａの長手方向に沿って支点軸Ｓの移動案内をする長孔４２が穿設され、その長孔４２に支点軸Ｓが通される。支点軸Ｓは図８に示される回転駆動源５３（可逆モータ）のロータ軸であり、その回転駆動源５３は、図８に示されるようにディスクトレイ３とトレイベース４との間でスライド板７を介してトレイベース４に取り付けられ、長孔４２の長手方向にのみ移動を許容されている。支点軸Ｓはその両端が回転駆動源５３から突出し、その一端にディスクトレイ３が固着され、他の一端にはカム８が固着されている。カム８は、支点軸Ｓの回転駆動によるディスクトレイ３の旋回移動に同調して、その旋回中心となる支点軸Ｓを長孔４２に沿って往復移動させる支点軸移動手段を構成するもので、カム８には図７に示されるような馬蹄形のカム溝８ａが形成され、トレイベース４にはカム溝８ａに対応する固定ピン４３が突設されている。
【００２７】
そして、上記のような支点軸移動手段を有するディスク搬送機構によれば、ディスクトレイ３が初期位置とディスク取出位置との間を旋回移動するとき、その旋回中心となる支点軸Ｓがカム溝８ａに倣って長孔４２内を往復移動することにより、ディスクトレイ３に載せられたディスクＤを図７に示す直線Ｌに沿ってトレイベース４と同方向に直進移動させることができる。このため、装置の高級感が高まるほか、開口部１ａの長さをディスクＤの直径近くまで短縮しながら、ディスクトレイ３やディスクＤを開口部１ａの端縁に干渉させることなくディスクＤの搬入、搬出を行うことが可能となる。
【００２８】
以上、本発明に係るディスク駆動装置の具体例を説明したが、本発明は図示例に限定されるものでなく、ディスクトレイ３やトレイベース４の形状や大きさは適宜変更することができる。又、支点軸移動手段は、図７のようなカム８に限らず、この手段にリニアモータなどを用いることもできる。更に、図２には係るディスク駆動装置を横置き型として示したが、開口部１ａが上下に向くような縦置き型とすることもできる。加えて、トレイベース４を前後させるモータとディスクトレイ３を旋回させるモータをそれぞれ個別に設けることに限らず、これに単一のモータを用い、その動力をトレイベース４とディスクトレイ３に分配する構成とすることもできる。
【符号の説明】
【００２９】
１  筐体
１ａ  開口部
２  ディスク搬送機構
３  ディスクトレイ
４  トレイベース
５  トレイ駆動部
６  ベース駆動部
７  スライド板
８  カム（支点軸移動手段）
８ａ  カム溝
Ｓ  支点軸
Ｄ  ディスク
【図１】
2010176724.tif 000003
【図２】
2010176724.tif 000004
【図３】
2010176724.tif 000005
【図４】
2010176724.tif 000006
【図５】
2010176724.tif 000007
【図６】
2010176724.tif 000008
【図７】
2010176724.tif 000009
【図８】
2010176724.tif 000010
【図９】
2010176724.tif 000011
【図１０】
2010176724.tif 000012
【図１１】
2010176724.tif 000013